(57)【要約】      （修正有）【課題】ユーザーが望むタイミングで、手を煩わせることなく、受信状況及び改善手段を画面に表示させる。【解決手段】デジタル放送などを視聴時にステップＳ２１で受信状態情報検出手段によりＢＥＲを監視し、ステップＳ２２で常時またはある時間間隔で受信状態の劣化を監視し、劣化を検出しない場合（Ｎｏ）は、処理を終了（映像表示等を継続）。受信状態の劣化が確認される（Ｙｅｓ）と、ステップＳ２４で映像表示画面を維持した状態で「アンテナ設定画面を表示しますか？」等のコーション表示と、アンテナ設定画面へ遷移するかの選択ボタンの表示「はい」、「いいえ」を行い、ステップＳ２５で入力操作（リモコン装置による方向キーと決定キーによる操作）を待ち、「はい」が押されなければ（「いいえ」が押されれば）処理を終了。「はい」が押されれば、ステップＳ２７で、受信状況診断処理を行い、ステップＳ２８でアンテナ設定画面を表示させる。【選択図】図６
2008187422.tif 000002
【特許請求の範囲】
【請求項１】
受信信号に基づいてデジタル放送の受信状態情報を検出する受信状態検出部と、
前記受信状態に基づいて装置の受信状況を診断する受信診断部と、
該受信状態検出部において受信状態の劣化が検出されると、前記受信状態情報を表示する受信情報表示画面へ直接遷移させることができるメニューボタンを表示部に表示させる制御を行う表示制御部と
を有することを特徴とするデジタル放送受信装置。
【請求項２】
前記メニューボタンは、制御装置であるリモコン装置の方向キーと決定ボタンとにより前記メニューボタンに対して操作を行うことより前記直接遷移を行うか否かを決定することができることを特徴とする請求項１に記載のデジタル放送受信装置。
【請求項３】
前記メニューボタンと同じ表示画面上に、受信状態の劣化に関連するコーション表示を行うことを特徴とする請求項１又は２に記載のデジタル放送受信装置。
【請求項４】
前記受信状態検出部に関連付けされ、受信状態に関する基準値を格納する基準値格納部を有していることを特徴とする請求項１から３までのいずれか１項に記載のデジタル放送受信装置。
【請求項５】
前記表示制御部は、前記受信情報表示画面に、前記受信診断部において診断された診断結果を表示する制御を行うことを特徴とする請求項１から４までのいずれか１項に記載のデジタル放送受信装置。
【請求項６】
前記受信診断部は、
１）ＢＥＲが第１の基準値を満たしているか否か、
２）上記１）において満たしている場合に、Ｃ／Ｎが第２の基準値を満たしているか否か、
３）上記１）において強電力であるか否か、
４）上記３）において強電力でない場合に弱電力であるか否か
に基づいて、受信状況を診断することを特徴とする請求項１から５までのいずれか１項に記載のデジタル放送受信装置。
【請求項７】
前記診断結果とともに、現在の受信状態を表示する受信状態表示を行うことを特徴とする請求項５又は６に記載のデジタル放送受信装置。  
【請求項８】
前記受信状態表示は、メニューからの解除によって終了することを特徴とする請求項１から７までのいずれか１項に記載のデジタル放送受信装置。
【請求項９】
受信信号に基づいてデジタル放送の受信状態情報を検出する受信状態検出ステップと、
該受信状態検出ステップにおいて受信状態の劣化が検出されると、前記受信状態情報を表示する受信情報表示画面へ直接遷移させることができるメニューボタンを表示部に表示する制御を行う表示制御ステップと、
前記受信状態に基づいて装置の受信状況を診断する受信診断ステップと、
を有することを特徴とするデジタル放送受信状態表示方法。
【請求項１０】
前記表示制御ステップの開始後に前記受信診断ステップを実行することを特徴とする請求項９に記載のデジタル放送受信状態表示方法。
【請求項１１】
請求項９又は１０に記載のステップを、コンピュータに実行させるためのプログラム。
【請求項１２】
請求項１１に記載のプログラムを記録するコンピュータ読みとり可能な記録媒体。
【発明の詳細な説明】
【技術分野】
【０００１】
本発明は、デジタル放送受信装置に関し、特にその受信状況表示技術に関する。  
【背景技術】
【０００２】
現在、アナログ放送からデジタル放送への移行が進んでいる。デジタル放送受信装置によれば、従来のアナログ放送に比べて鮮明な映像を楽しむことができる。
【０００３】
デジタル放送の受信技術においては、受信装置、特にアンテナの設置状況や周辺の環境、天候により受信映像が大きく変化する。そこで、受信状況の診断を行うことができるデジタル放送受信装置が提案されている。例えば、下記特許文献１には、デジタル放送電波の受信信号から検出された複数のパラメータ信号のそれぞれの状態に基づいて受信状況を診断し、診断結果を表示する技術が提案されている。
【０００４】
【特許文献１】特開２０００−４９７２０号公報
【発明の開示】
【発明が解決しようとする課題】
【０００５】
上記特許文献１に記載の技術では、受信信号に基づいて受信診断の判定を行い、その判定結果に応じて放送電波の受信状況の良否を診断し、診断結果とその対策とを表示画面に表示させることができる。
【０００６】
しかしながら、上記の技術においては、受信状況の診断結果に関する表示を、ユーザーが望むタイミングで表示させることが難しいという問題がある。また、診断結果の表示により、映像や字幕の邪魔になるという問題もある。さらに、ユーザーが表示させたいと思った時に、手動操作手段によりユーザーが適宜、表示を実行させることができるとの記載はあるが、具体的な手段に関する記載はなく、一般的なメニュー操作などによりいくつかのステップで操作することが想定され、操作が煩わしくなると考えられる。
【０００７】
本発明は、ユーザーが望むタイミングで、ユーザーの手を煩わせることなく、受信状況及び改善手段を画面に表示させることができる技術を提供することを目的とする。
【課題を解決するための手段】
【０００８】
本発明によれば、アンテナの向きを調節する際に使用するアンテナ設定画面にて、受信状況を表示する。受信状態が劣化し、ブロックノイズ発生もしくは映像が出ない場合に、劣化していることを知らせるコーション表示を行う。コーションとともに“受信状況を表示する画面”へジャンプするボタンを表示させ、ユーザーがリモコンでボタンを押すことで、受信状況表示画面へ遷移する。
【０００９】
本発明の一観点によれば、受信信号に基づいてデジタル放送の受信状態情報を検出する受信状態検出部と、前記受信状態に基づいて装置の受信状況を診断する受信診断部と、該受信状態検出部において受信状態の劣化が検出されると、前記受信状態情報を表示する受信情報表示画面へ直接遷移させることができるメニューボタンを表示部に表示する制御を行う表示制御部と、を有することを特徴とするデジタル放送受信装置が提供される。
【００１０】
前記メニューボタンは、制御装置であるリモコン装置の方向キーと決定ボタンとにより選択・決定することにより操作することができる２つのボタンにより構成されていることが好ましい。前記メニューボタンに加えて、受信状態の劣化に関連するコーション表示を行うことが好ましい。
【００１１】
また、前記受信状態検出部に関連付けされ、受信状態に関する基準値を格納する基準値格納部を有していることが好ましい。前記表示制御部は、前記受信情報表示画面に、前記受信診断部において診断された診断結果を表示する制御を行うようにしても良い。前記受信診断部は、１）ＢＥＲが第１の基準値を満たしているか否か、２）上記１）において満たしている場合に、Ｃ／Ｎが第２の基準値を満たしているか否か、３）上記１）において強電力であるか否か、４）上記３）において強電力でない場合に弱電力であるか否か、に基づいて、受信状況を診断するようにしても良い。前記診断結果とともに、現在の受信状態を表示する受信状態表示を行うようにしても良い。前記受信状態表示は、メニューからの解除によって終了することが好ましい。
【００１２】
本発明の他の観点によれば、受信信号に基づいてデジタル放送の受信状態情報を検出する受信状態検出ステップと、該受信状態検出ステップにおいて受信状態の劣化が検出されると、前記受信状態情報を表示する受信情報表示画面へ直接遷移させることができるメニューボタンを表示部に表示する制御を行う表示制御ステップと、前記受信状態に基づいて装置の受信状況を診断する受信診断ステップと、を有することを特徴とするデジタル放送受信状態表示方法が提供される。前記表示制御ステップの開始後に前記受信診断ステップを実行することが好ましい。本発明は、上記のステップを、コンピュータに実行させるためのプログラムまたは、そのプログラムを記録するコンピュータ読みとり可能な記録媒体であっても良い。
【００１３】
上記技術によれば、デジタル放送視聴中に受信状態が劣化した際、ユーザーの手を煩わせることなく、劣化の原因および解決手段を知らせることができる。
【発明の効果】
【００１４】
本発明によれば、ユーザーが望むタイミングで、ユーザーの手を煩わせることなく、受信状況及び改善手段を画面に表示することができる。
【００１５】
通常、ユーザーがこのような表示を望むタイミングは、アンテナ設定時や、視聴していて受信劣化し、ブロックノイズが発生したり映像が出なくなったりする場合であるが、このようなタイミングで、少ないリモコン操作で改善に至る表示を行わせることができる。
【発明を実施するための最良の形態】
【００１６】
以下、本発明の一実施の形態によるデジタル放送受信装置について図面を参照しながら説明を行う。図１は、本実施の形態によるデジタル放送受信装置の一構成例を示す機能ブロック図である。図１に示すように、本実施の形態によるデジタル放送受信装置は、アンテナ１と、チューナ部３と、チューナ部３から出力される中間周波数（ＩＦ）信号のゲインを自動的に制御するＩＦ  ＡＧＣ３１、ＡＤコンバータ３３、復調回路３５及びＩＦのＡＧＣ４１、復調後の出力信号を受けて誤り訂正を行うＦＥＣ（Forward Error Correction）、すなわち誤り訂正部３７、その出力であるＴＳに基づいて映像を表示する表示部５１と、を有している。誤り訂正部３７は、データを伝送する前に誤り検出・訂正用の冗長データを付加しておき、誤りがあれば受信側で修正などを行う。
【００１７】
さらに、復調回路３５からの出力信号を受けて受信状態情報を検出する受信状態情報検出部４５と、受信状態に関する基準値を格納し、受信状態情報検出部４５から参照可能な基準値格納部４７と、を有している。加えて、装置全体を制御する制御部４８と、種々の処理に関するプログラム等を格納する記憶部４９と、リモコン信号を受信するリモコン受光部５０と、を備えている。制御部４８には、例えばプログラムに基づいて表示に関する制御を行う表示制御部が設けられている。
【００１８】
チューナ部３は、プリアンプ５と、ＢＰＦ７と、ＲＦＶＧＡ１１と、ミキサ１５と、ＯＳＣ１７と、ＢＰＦ２１と、ＩＦアンプ２３と、レベル検波部２５と、電圧制御部（ＡＧＣ）２７と、を有している。
【００１９】
【表１】
2008187422.tif 000003
【００２０】
表１は、診断結果としてのデジタル放送受信装置の状態と、それぞれの状態における対応策と、を例示したテーブル例である。状態に関する説明を記載したテキストデータに関しては、例えば、基準値格納部４７或いは記憶部４９のいずれか一方に記憶させておくことができる。対処方法に関しては、装置の取り扱い説明書に記載しておくことができる。或いは、装置側に記憶させておき表示が可能なようにしても良い。取り扱い説明書に記載しておく方がメモリ容量を節約できるという利点がある。
【００２１】
図２は、受信状態診断処理の流れを示すフローチャート図である。図２に示すように、処理が開始すると（ステップＳ１：Ｓｔａｒｔ）、次に、ステップＳ２において復調回路３５において同調しているか否かを受信状態情報検出部４５により判定する。当該周波数におけるチューナ部３への入力信号がない場合や、電圧制御部２７による増幅率の抑制等が十分にできておらず同調していない場合には（Ｎｏ）ステップＳ３に進み、「受信できません」などの表示を行う。この場合には、取り扱い説明書において、「アンテナ設備や接続を確認して下さい。」などの記載に基づいて改善を促す。
【００２２】
ステップＳ２においてＹｅｓの場合には、ステップＳ４に進み、ＢＥＲが基準値よりも小さいか否か、すなわち、ブロックノイズが多く発生していないか否かを例えばＢＥＲが２．０E-4以下であるか否かに基づいて判定する。ステップＳ４において、ＢＥＲが基準値よりも小さい場合には（Ｙｅｓ）、ステップＳ５に進みＣ／Ｎ値が基準値よりも大きいか否かを判定する。ここで、Ｙｅｓの場合には、ブロックノイズの発生、Ｃ／Ｎに基づくアンテナレベルも十分であることから、ステップＳ６に進み、表１に基づいて「アンテナ受信状態は良好です」などの表示を行う。この場合には特に対策を施す必要がない。
【００２３】
ステップＳ５においてＮｏであると判定されると（Ｎｏ）、アンテナレベルが不足しているため、ステップＳ７に進み、表１に基づいて「受信状態の改善が望まれます。」との表示が行われ、取り扱い説明書において、「信号強度が６０以上を目安に、アンテナの向き調整や接続方法の改善が望まれます。」などの記載に基づいて、ユーザー又は修理者に対してアンテナの調整などの処理を促す。
【００２４】
ステップＳ４においてブロックノイズが基準値を越えている場合には（Ｎｏ）、ステップＳ８に進み、ＡＧＣ２７の制御値、すなわちチューナ３における信号レベルが強電力であるか否かを判定する。ある第１の基準値よりも強電力である場合には（Ｙｅｓ）、ブロックノイズの原因となるため、ステップＳ９において、「信号レベルが強すぎます」との表示が行われる。この場合には、取り扱い説明書において、「ブースターの調整や減衰器の挿入が必要です。」との記載に基づいて、例えばアッテネータを入れるなどの対策が考えられる。
【００２５】
一方、ステップＳ８において、Ｎｏの場合には、ステップＳ１０に進む。ステップＳ１０においては、ＡＧＣが上記第１の基準値よりも大きい第２の基準値よりもさらに大きい場合には、弱電力であると判定され（Ｙｅｓ）、ステップＳ１１に進み、「信号レベルが不足しています」との表示がなされる。この場合には、取り扱い説明書において、「信号強度が６０以上を目安に、アンテナの向き調整や接続方法等の改善をしてください。」との記載に基づいて、改善を促す。ブースターなどの挿入が推奨されることになる。一方、ステップＳ１０でＮｏの場合には、アンテナレベルが低い、すなわちノイズが多い等、信号品質が悪いと判断され、ステップＳ１２において信号の状態が良くありません」との表示がなされる。この場合には、取り扱い説明書において、「アンテナ設備や接続を確認して下さい。」などの記載がなされる。
【００２６】
上記のように、まず、ＢＥＲに基づくブロックノイズに関する判定を行い、次いで、ブロックノイズに問題がない場合にはＣ／Ｎの判定を行う。一方、ブロックノイズに関して問題がある場合には、ＡＧＣの強電力であるか否かの第１の基準値以下であるかどうかを判定し、次いで、第１の基準値以下でない場合であっても第２の基準値を超えているか否かに基づいて弱電力であるか否かに関して判定を行い、信号レベルの不足か、信号の品質が良くないかに関する判断を行う。そしてそれぞれの判定において十分・不十分を判定し、その旨を報知する。このように、受信に関して重要度が高い順に判定を行っていくことで、少ない判定処理手順数によっても正確な診断を行うことができるという利点がある。
【００２７】
図３は、受信状態表示画面を兼ねたアンテナ設定画面の表示例を示す図である。アンテナ設定画面は、例えば、初期設定時又は受信状態が悪くなりアンテナの調整を行う必要がある場合などにおいて、メニュー画面からのリモコン操作などにより表示させることができる。ここで、リモコン装置に関して簡単に説明する。図５は、一般的なリモコン装置の構成例を示す図である。図５に示すように、リモコン装置９１は、リモコン信号を出射するためのリモコン信号出射部９３と、番号ボタンなどの操作ボタン部９５と、メニュー表示画面に遷移させるためのメニューボタン１１５と、メニュー表示画面などにおいて用いられる方向・決定キー９７と、を有している。メニューの選択は、上下左右の方向キー１０３・１０７・１０５・１１１と、により行い、選択されたメニュー等の決定を決定キー１０１により行う。例えば、一般的なアンテナ設定画面の表示のさせ方は、メインのメニュー表示画面から、機能設定画面−アンテナ設定画面と遷移させるような使い方がなされる。
【００２８】
図３は、受信状態表示画面を兼ねたアンテナ設定画面における表示画面例を示す図である。この表示画面５１においては、一般的な表示として、「アンテナレベルが６０以上になるようにアンテナの向きを調節してください。」という指針的な表示５３が常時表示されている。
【００２９】
さらに、現在のアンテナレベル（Ｃ／ＮやＢＥＲに基づいた数値）を連続値として表示するアナログインジケータ５５と、現在のアンテナレベル値（Ｐ１）をデジタル表示させる現在値表示部５７と、現在のアンテナレベル値の動き（振動の幅Ｌ１）のうちの最大値（Ｐ２）を示す最大値表示部６１と、「アンテナ受信状態は良好です。」というような（図２のステップＳ６）診断結果の表示６３とがなされている。この表示画面に基づいて、アンテナの調整などを行う際の目安とすることができる。
【００３０】
次に、上記診断処理に続く表示の手順について説明を続ける。図６は、本実施の形態による受信状態劣化時の動作の流れを示すフローチャート図である。この状況では、例えば、一般的なデジタル放送などを視聴している間に、ステップＳ２１において受信状態情報検出手段４５（図１）により、ＢＥＲを監視しておく。ステップＳ２２に示すように、放送受信状態でＢＥＲを監視し、受信状態の変化を常時（または、ある時間間隔で）監視しておく。ステップＳ２２において、受信状態の劣化を検出しない場合には（Ｎｏ）、ステップＳ２３に進み処理を終了する（後述する表示等を行わず、映像表示等を継続して行う）。一方、ステップＳ２２において、受信状態情報検出手段４５（図１）により受信状態の劣化が確認されると（Ｙｅｓ）、ステップＳ２４に進み、映像表示画面を維持した状態において「アンテナ設定画面を表示しますか？」というようなコーション表示を行う。
【００３１】
図４は、このようなコーション表示がなされた画面例を示す図である。この表示画面５１においては、映像表示画面７１上にブロックノイズが現れており、かつ、映像表示画面に受信状態が劣化している旨を報知するためのコーション表示７５が行われる。ブロックノイズの発生の代わりに映像が表示されない場合にも、このコーション表示を行わせるようにしても良い。このコーション表示７５においては、アンテナ設定画面へ遷移させるか否かに関する選択を促すためのボタン表示「はい」８１、「いいえ」８３を行うことになる。ステップＳ２５において、ユーザーからのリモコン装置により、「はい」又は「いいえ」の入力操作（図５に示すリモコン装置９１による方向キーと決定キーによる操作）を待つ。ステップＳ２５において、「はい」が押されたか否かを検出し、「はい」が押されなければ（「いいえ」が押されれば）ステップＳ２６において処理を終了する。「はい」が押されたことが確認されると（Ｙｅｓ）、ステップＳ２７に進み、図２に示すような受信状況診断処理を行う。次いで、ステップＳ２８において図３に示すようなアンテナ設定画面を表示させる。この際、表１に示すような診断結果表示テーブルの状態表示を画面に表示させる。ユーザー等は、この状態表示に基づいて上述のような取り扱い説明書を参照することで、問題を解決するための方法を知ることが出来る。このアンテナ設定画面を表示させた状態において、リモコン装置を利用してメニュー解除を行うことができる（ステップＳ２９においてＹｅｓでステップＳ３０に遷移）。
【００３２】
ステップＳ２９においてＮｏの場合、ステップＳ３１に進み受信状態を診断し、ステップＳ３２において診断結果を更新し、ステップＳ２９に戻る。このように、アンテナ設定画面を終了するための操作を行うまでは、一定の時間間隔で受信状態の診断と診断結果の表示とを繰り返す。診断結果を更新することで、例えば受信電力が時間とともに変化し、受信状態が変化するような場合に、ユーザーは常に最新の受信状況を確認することができる。また、表示された診断結果をもと対策を施した結果、改善されたか否かを確認することが可能となる。
【００３３】
上記の処理により、受信状態が劣化した場合に、その旨を表示するとともに、アンテナ設定画面へ遷移するか否かをユーザーに選択させるボタン表示を行うことにより、アンテナ設定画面を兼ねた受信状態表示画面に簡単に遷移させることができる。受信状態表示画面においては、診断結果を表示させることができ、かつ、この画面においてアンテナレベルなどの表示を現状を反映させた状態で表示させることにより、受信状態の改善に向けた処理を効率良く行うことができる。
【００３４】
以上に説明したように、デジタル放送の受信時に、受信状態が劣化した際には、ＡＧＣ、ビット誤り率（ＢＥＲ）、Ｃ／Ｎ、および同期判定手段により受信状況を監視し、受信状況の劣化の原因を診断に基づいて特定し、どのように改善するのかに関する指針を提示する。この際、インデックスを表示させ、詳細は取り扱い説明書に記載するようにしても良い。アンテナ設定画面において、上記診断結果を常時表示および更新する。
【００３５】
受信状態が劣化し、ブロックノイズが発生し、或いは、もしくは映像が表示された場合に、受信劣化していることを報知するためのコーション表示を行う際に、それに加えて“ボタン”を表示し、ユーザーがリモコンキーからこのボタンを選択・決定操作により押すことにより、上記アンテナ設定画面に遷移するように設定しておくことで、診断結果を簡単な操作で表示させることができるという利点がある。
【産業上の利用可能性】
【００３６】
本発明は、デジタル放送受信装置に利用可能である。
【図面の簡単な説明】
【００３７】
【図１】本発明の一実施の形態によるデジタル放送受信装置の一構成例を示す機能ブロック図である。
【図２】受信状態診断処理の流れを示すフローチャート図である。
【図３】受信状態表示画面を兼ねたアンテナ設定画面の表示例を示す図である。
【図４】コーション表示がなされた画面例を示す図である。
【図５】リモコン装置の構成例を示す図である。
【図６】本実施の形態による受信状態劣化時の動作の流れを示すフローチャート図である。
【符号の説明】
【００３８】
１…アンテナ、３…チューナ部、３１…ＩＦ  ＡＧＣ、３３…ＡＤコンバータ、３５…復調回路、３７…誤り訂正部、４１…ＩＦのＡＧＣ、４５…受信状態情報検出部、４７…基準値格納部、４８…制御部、４９…記憶部、５０…リモコン受光部、５１…表示部。
【図１】
2008187422.tif 000004
【図２】
2008187422.tif 000005
【図３】
2008187422.tif 000006
【図４】
2008187422.tif 000007
【図５】
2008187422.tif 000008
【図６】
2008187422.tif 000009